(57)【要約】【課題】医療診断用に専用化されたモノクロビデオボードと汎用カラービデオボードとの両方に対応できる汎用性の高いモノクロ液晶型画像表示装置を提供し、かつモノクロモニタの画面上にカラーマーキングをした場合であっても、そのカラー情報が消失されることなく、ソフトコピーすることができる読影レポート作成装置を提供する。【解決手段】高精細のモノクロ液晶型画像表示装置が医療用モノクロビデオボード又は汎用カラービデオボード１２ａからデジタル伝送される画像データを受けるデジタル・インターフェースが備えられ、モノクロ液晶型画像表示装置が汎用カラービデオボード１２ａと接続されることで、カラー情報が消失することなく、画像データが伝送されて表示することができるモノクロ液晶型画像表示装置である。【選択図】　　図１
2004049542.tif 000002
【特許請求の範囲】
【請求項１】
モノクロ液晶型画像表示装置が医療用モノクロビデオボード又は汎用カラービデオボードから伝送される画像データの何れでも受けることができるデジタル・インターフェースを備えていることを特徴とするモノクロ液晶型画像表示装置。
【請求項２】
前記モノクロ液晶型画像表示装置が、第１と第２のデジタル・インターフェースで受けた画像データを信号処理する第１と第２の信号処理系統と、前記第１と第２の信号処理系統の両方又は何れか一方で処理された画像データを表示して一画面を表示する第１と第２の表示領域からなる画像表示部とを備え、
前記モノクロ液晶型画像表示装置が汎用カラービデオボードからの画像データを受ける場合、前記第１と第２の信号処理系統のそれぞれが独立に信号処理した画像データをそれぞれ前記第１と第２の表示領域に表示して１つの画面とし、又医療用モノクロビデオボードからの画像データを受信する場合、前記第１と第２の信号処理系統の何れか一方の信号処理系統を用いて前記画像データを分割し、前記第１と第２の表示領域に振り分けて表示して１つの画面とすることを特徴とするモノクロ液晶型画像表示装置。
【請求項３】
前記第１と第２の信号処理系統が、画像データを受信するデジタル・インターフェースの受信手段と、制御手段であるディスプレイコントローラとを備えることを特徴とする請求項２に記載のモノクロ液晶型画像表示装置。
【請求項４】
前記デジタル・インターフェースが、ＤＶＩであることを特徴とする請求項１，２又は３に記載のモノクロ液晶型画像表示装置。
【請求項５】
前記モノクロ液晶型画像表示装置における画像表示部の解像度がＱＸＧＡ（２０４８×１５３６画素）以上であり、前記画像表示部が分割表示されることを特徴とする請求項１〜４の何れかに記載のモノクロ液晶型画像表示装置。
【請求項６】
前記モノクロ液晶型画像表示装置の画像表示部が医療診断の読影用モニタであることを特徴とする請求項１〜５の何れかに記載のモノクロ液晶型画像表示装置。
【請求項７】
請求項６に記載のモノクロ液晶型画像表示装置の画像表示部が読影用モニタであって、前記画像表示部に接続される画像処理部のビデオボードが汎用カラービデオボードであることを特徴とする読影レポート作成装置。
【請求項８】
請求項７に記載の読影レポート作成装置が、モノクロ液晶型画像表示部の読影用モニタ上に書き込まれたカラー情報を別のレポート作成用のカラーモニタに表示できるように、モノクロ画像データのカラー情報を処理することができる汎用カラービデオボードを搭載した処理装置を備えることを特徴とする読影レポート作成装置。
【発明の詳細な説明】
【０００１】
【発明の属する技術分野】
本発明は、モノクロ液晶型画像表示装置とこれを用いた読影レポート作成装置とに関し、詳しくは汎用カラービデオボードと医療用モノクロビデオボードとの両方に対応することができるモノクロ液晶型画像表示装置、特に医療用の画像診断に好適なモノクロ液晶型画像表示装置であり、これを用いた読影レポート作成装置に係るものである。
【０００２】
【従来の技術】
従来からＸ線画像診断等における読影は、現像したフィルムをシャーカステン（ライトボックス）にセットしてフィルムの陰影から画像診断する手法が行われている。近年、医療現場では、診断用画像の電子化が進んでおり、それに伴って、フィルム・シャーカステンを使用した画像診断に代わって、モノクロディスプレイを使用した画像診断が行われるようになってきている。
【０００３】
現在は、医療用診断装置のディスプレイとして、ＣＲＴ（Ｃａｔｈｏｄｅ　Ｒａｙ　Ｔｕｂｅ）が主流であるが、近年の液晶ディスプレイの表示能力（高輝度，高解像度，少ない歪み）が向上し、しかも液晶ディスプレイ自身が小型、軽量、さらに省スペースであるという多くの利点を有することから、最近では液晶モニタによる画像診断を積極的に採用する医療機関が増えている。
【０００４】
また、医療用診断装置には、例えば検査室から診断に用いられる原画像（モダリティー）を伝送して、その表示画像からモニター診断する直接観察装置や、その原画像を直接観察装置のディスプレイ（ＣＲＴ，液晶ディスプレイ等）に表示し、専門医がその画像を観察して読影レポートを作成する読影レポート作成装置等がある。
【０００５】
図３は、従来から使用されている読影レポート作成装置の接続概念図である。その構成は、パソコン（処理装置）３１の内部に医療用ビデオボード３２と汎用カラービデオボード３３とが搭載され、医療用ビデオボード３２が高精細医療用モノクロモニタ３４に、汎用カラービデオボード３３がレポート用カラーモニタ３５にそれぞれインターフェースを介して接続されている。
【０００６】
高精細医療用モノクロモニタ３４は、専門医がＸ線画像診断等で読影・診断用に使用するものであり、従来のフィルムが持つ高い表現力に対応させるため、高精細のモノクロモニタが使用されている。医療用ビデオボード３２は、医療用画像表示のために専用化されたインターフェースが採用されている。具体的には、Ｒ（赤）Ｇ（緑）Ｂ（青）各データラインの内の一つを輝度（Ｙ）データラインとして利用し、パソコン内のメインメモリとモニタとの間のデータ転送量を約１／３に減らすことでモニタ描画の高速化が図られている。
【０００７】
これによって、診断時に画面の高速スクロールを頻繁に行う場合にも十分に追従することができるデータ転送速度としている。通常、診断画像は医療画像表示用のビューアーソフトによって表示され、専門医は診断画像をカルテや読影レポートへ抜粋表示する場合、ビューアーソフトのマーキング機能を使って、病変部などに目印を付けている。これによって、後で患者の病状経過を参照する場合など、病変部を素早く把握することができる。
【０００８】
一方、レポート用カラーモニタ３５は、いわゆる読影レポートを作成するために使用されるモニタである。このモニタは表示に必要な性能が通常のパソコンと同じ程度で足りるため、ビデオボードには汎用カラービデオボード３３が使用されている。因みに、読影レポートとは、専門医が高精細医療用モノクロモニタ３４で診断した結果をコメントとして記載し、これに診断に使用した診断画像をソフトコピー（切り取って他にコピー）して作成する一連の電子ファイルである。
【０００９】
【発明が解決しようとする課題】
上記病変部などへ付けるマーキングは、システム構成上、高精細医療用モノクロモニタ３４上で表示するビューアーソフトによって行うことが多く、モノクロの診断画像とマーキングとの識別を容易にするため、カラーマーキングを使用したい。勿論、診断画像データにマーキングデータを書き込んだとしたとしても、モノクロモニタ上ではマーキングの色彩が判らないが、当該マーキングデータを含む診断画像データであったとしてもパソコン内の医療用ビデオボード３２の上にあるモノクロ用のビデオメモリに展開されるため、カラーマーキングを使用してもカラー情報が消失するという問題があった。
【００１０】
また、読影レポート作成のためにレポート用カラーモニタ３５側にカット・アンド・ペースト（ソフトコピー）を行って画像データを表示しても、パソコンの動作上の制約、例えばモノクロ用ビデオメモリに展開された画像データからコピーすることから、この画像情報には、カラー情報が消失した画像データが表示される現象が起こる。すなわち、ビューアーソフトが認識している情報（カラー情報を持ったマーキング）と実際にモニタ上に表示される情報（カラー情報を消失したマーキング）とが異なっているという現象が起こる問題があった。
【００１１】
さらに、従来の読影用の高精細医療用モノクロモニタ３４は、上記で説明したように、専用化された医療用ビデオボード３２との接続しかできないため、その汎用性に欠けるという問題があった。
【００１２】
本発明は、上記課題に鑑みなされたものであり、医療診断用に専用化されたモノクロビデオボードと汎用カラービデオボードとの両方に対応することができる汎用性の高いモノクロ液晶型画像表示装置を提供するとともに、モノクロモニタの画面上にカラーマーキングをした場合であっても、そのカラー情報が消失されることなく、ソフトコピーすることができる読影レポート作成装置を提供することを目的とするものである。
【００１３】
【課題を解決するための手段】
本発明は、上記課題を達成したものであり、請求項１の発明は、モノクロ液晶型画像表示装置が医療用モノクロビデオボード又は汎用カラービデオボードから伝送される画像データの何れでも受けることができるデジタル・インターフェースを備えていることを特徴とするモノクロ液晶型画像表示装置である。
【００１４】
請求項１の発明では、モノクロ液晶型画像表示装置が医療用モノクロビデオボード又は汎用カラービデオボードを備えるパソコン（処理装置）から伝送される画像データ（モノクロ，カラーのビデオ信号）の何れでも受けることができるデジタル・インターフェースを備えており、モノクロ液晶型画像表示装置であったとしても、汎用カラービデオボードから伝送される画像データを処理することができ、しかもモノクロ液晶画面上でカラーマーキング機能を使用した場合、カラー情報が汎用カラービデオボードで処理されることで、消失されることなく、カラーマーキング機能を利用することができる。
【００１５】
無論、モノクロ液晶型画像上には、カラーマーキングをカラーで表示することはできないが、その処置装置が汎用カラービデオボードのビデオＲＡＭ（Ｒａｎｄｏｍ　Ａｃｃｅｓｓ　Ｍｅｍｏｒｙ）に記憶させるので、カラー情報が消失することなく、モノクロ液晶画面上に行ったカラーマーキングをソフトコピーすることができ、その読影結果を診断に有効的に利用することができる作用を有する。
【００１６】
また、請求項２の発明は、前記モノクロ液晶型画像表示装置が、第１と第２のデジタル・インターフェースで受けた画像データを信号処理する第１と第２の信号処理系統と、前記第１と第２の信号処理系統の両方又は何れか一方で処理された画像データを表示して一画面を表示する第１と第２の表示領域からなる画像表示部とを備え、前記モノクロ液晶型画像表示装置が汎用カラービデオボードからの画像データを受ける場合、前記第１と第２の信号処理系統のそれぞれが独立に信号処理した画像データをそれぞれ前記第１と第２の表示領域に表示して１つの画面とし、又医療用モノクロビデオボードからの画像データを受信する場合、前記第１と第２の信号処理系統の何れか一方の信号処理系統を用いて前記画像データを分割し、前記第１と第２の表示領域に振り分けて表示して１つの画面とすることを特徴とするモノクロ液晶型画像表示装置である。
【００１７】
請求項２の発明では、モノクロ液晶型画像表示装置に第１と第２の信号処理系統が備えられ、画像データがカラー又はモノクロの何れの場合であっても対応することができ、カラー画像データの場合は、第１と第２の信号処理系統の両方を使用して信号処理を行い、また、モノクロ画像データの場合は、第１と第２の信号処理系統の何れか一方を利用して信号処理を行うことができる。カラー画像データの場合、第１と第２の信号処理系統の両方で信号処理されて、画像表示部の第１と第２の表示領域にそれぞれ画像を表示して、一画面を構成するようになされいる。また、モノクロ画像データを処理する場合は、第１と第２の信号処理系統の何れか一方の信号処理系統で信号処理した画像データを第１と第２の表示領域に順次振り分けて表示することで、一画面を構成するようになされている。また、モノクロ液晶型画像表示装置の処理装置が汎用カラービデオボードを備えていることで、モノクロ液晶画面上に表示される画像データにカラー情報が含まれている場合であっても、カラー情報が消失することなくソフトコピーできる利点がある。
【００１８】
また、請求項３の発明は、前記第１と第２の信号処理系統が、画像データを受信するデジタル・インターフェースの受信手段と、制御手段であるディスプレイコントローラとを備えることを特徴とする請求項２に記載のモノクロ液晶型画像表示装置である。
【００１９】
請求項３の発明では、第１と第２の信号処理系統が、画像データを受信するデジタル・インターフェースの受信手段（ＤＶＩレシーバ）と、制御手段（ディスプレイコントローラ）とを備えることで、ディスプレイコントローラの制御機能によって、カラーとモノクロとの画像データの種別或いは画像信号の有無を判断して切り換え制御等を行って、画像表示部の第１と第２の表示領域に画像を表示することができる。なお、画像信号の有無とは、カラー画像データであれば、第１と第２の信号処理系統に画像データが送り込まれるが、モノクロ画像データの場合は、第１と第２の信号処理系統の何れかに画像データが送り込まれるので、カラー画像データか、モノクロ画像データかを判断することができる。
【００２０】
また、請求項４の発明は、前記デジタル・インターフェースが、ＤＶＩであることを特徴とする請求項１，２又は３に記載のモノクロ液晶型画像表示装置である。
【００２１】
請求項４の発明では、デジタル・インターフェースがＤＶＩ（ＤｉｇｉｔａｌＶｉｓｕａｌ　Ｉｎｔｅｒｆａｃｅ）であるので、情報の劣化がなく、医療用の画像表示装置として、原画像を忠実に表示することができる作用がある。
【００２２】
また、請求項５の発明は、前記モノクロ液晶型画像表示装置における画像表示部の解像度がＱＸＧＡ（２０４８×１５３６画素）以上であり、前記画像表示部が分割表示されることを特徴とする請求項１〜４の何れかに記載のモノクロ液晶型画像表示装置である。
【００２３】
請求項５の発明では、画像表示部がＱＸＧＡ（Ｑｕａｄ　Ｅｘｔｅｎｄｅｄ　Ｇｒａｐｈｉｃｓ　Ａｒｒｅｙ）以上が用いられ、高精細画像とすることができ、医療用の表示画面として適する作用があり、また、ＱＸＧＡの画像表示部は、画像表示部を左右に分割されて、それぞれの画像表示部（第１と第２の表示領域）に画像データを伝送するようにして表示することで、画像データの伝送速度に対応できるようになされている。
【００２４】
また、請求項６の発明は、前記モノクロ液晶型画像表示装置の画像表示部が医療診断の読影用モニタであることを特徴とする請求項１〜５の何れかに記載のモノクロ液晶型画像表示装置である。
【００２５】
請求項６の発明では、モノクロ液晶型画像表示装置の画像表示部が医療診断の読影用モニタとすることによって、モノクロ画像が高精細画像であるので、医療診断における病変部がモノクロ画像に明確に表示することができ、読影に適したモノクロ液晶型画像表示装置とすることができる作用を有している。
【００２６】
また、請求項７の発明は、請求項６に記載のモノクロ液晶型画像表示装置の画像表示部が読影用モニタであって、前記画像表示部に接続される画像処理部のビデオボードが汎用カラービデオボードであることを特徴とする読影レポート作成装置である。
【００２７】
請求項７の発明では、請求項６に記載のモノクロ液晶型画像表示装置の画像表示部が読影用モニタであり、前記画像表示部に接続される画像処理部のビデオボードが汎用カラービデオボードが用いられているので、モノクロ液晶型画像表示装置にカラーマーキング等のカラー情報が入力されたとしても、カラー情報が消失することがない作用を有する。
【００２８】
また、請求項８の発明は、請求項７に記載の読影レポート作成装置が、モノクロ液晶型画像表示部の読影用モニタ上に書き込まれたカラー情報を別のレポート作成用のカラーモニタに表示できるように、モノクロ画像データのカラー情報を処理することができる汎用カラービデオボードを搭載した処理装置を備えることを特徴とする読影レポート作成装置である。
【００２９】
請求項８の発明では、モノクロ液晶型画像表示装置による読影レポート作成装置とカラーモニタを有する読影レポート作成装置とが接続され、このモノクロ液晶型画像表示装置の画面表示部上のカラーマーキング等のカラー情報を、汎用カラービデオボードを備える他の読影レポート作成装置の画面表示部に表示することができるように、モノクロ液晶型画像表示装置の処理装置（パソコン）が汎用カラービデオボードを備えており、モノクロモニタを介して書き込まれたカラー情報が消失することなく、他の読影レポート作成装置の画像表示部にカラー情報を表示することができる読影レポート作成装置として、その読影結果を診断に有効的に利用することができる作用を有する。
【００３０】
【発明の実施の形態】
以下、本発明に係るモノクロ液晶型画像表示装置とこれを用いた読影レポート作成装置の実施形態について、図面を参照して説明する。なお、図１は、本発明に係るモノクロ液晶型画像表示装置と、それを用いた読影レポート作成装置の接続概念図である。図２は、図１の高精細医療用モノクロモニタと汎用カラービデオボードとの接続を示したブロック図である。
【００３１】
本発明について、図１に示した読影レポート作成装置の実施形態を参照して説明する。本実施形態の読影レポート作成装置は、パソコン１０に標準的に用いられている汎用のバス１１、例えば、ＰＣＩ（Ｐｅｒｉｐｈｅｒａｌ　Ｃｏｍｐｏｎｅｎｔ　Ｉｎｔｅｒｃｏｎｎｅｃｔ　）バスに汎用カラービデオボード１２ａ，１３ａが接続され、パソコン１０のＣＰＵ（中央処理装置）に接続されている。汎用カラービデオボード１２ａは、制御手段により制御されるビデオＲＡＭ（Ｒａｎｄｏｍ　Ａｃｃｅｓｓ　Ｍｅｍｏｒｙ）１２ｂとＤＶＩ（ＤｉｇｉｔａｌＶｉｓｕａｌ　Ｉｎｔｅｒｆａｃｅ）トランスミッタ１２ｃとで構成され、汎用カラービデオボード１３ｂは、制御手段により制御されるビデオＲＡＭ１３ｂとＤＶＩトランスミッタ１３ｃとで構成されている。
【００３２】
また、高精細医療用モノクロモニタ１４ａには、ＤＶＩトランスミッタ１２ｃに対応するＤＶＩレシーバ１４ｂが搭載され、汎用カラービデオボード１２ａが伝送ケーブル１６を介して高精細医療用モニタ１４ａに接続されている。レポート用カラーモニタ１５ａには、ＤＶＩトランスミッタ１３ｃに対応するＤＶＩレシーバ１５ｂが搭載され、伝送ケーブル１７を介してレポート用カラーモニタ１５ａに接続されている。当該高精細医療用モノクロモニタ１４ａは、本発明のモノクロ液晶型画像表示装置の一実施形態であり、デジタル・インターファスのＤＶＩレシーバ１４ｂが設けられ、画像データを制御するディスプレーコントローラ等が設けられている。無論、パソコン１０はＬＡＮ等を介してＸ線装置等の検査機器と接続されて原画像データが入力されている。
【００３３】
なお、汎用カラービデオボード１２ａ，１３ａについては、図２で詳細に説明するが、画像表示を制御するグラフィクコントローラが設けられ、パソコン１０により原画像データを収得し、所定の画像データに変換してビデオＲＡＭ１２ｂに送り込まれ、ビデオＲＡＭ１２ｂから画像データを読み出してＤＶＩトランスミッタ１２ｃを介して伝送する機能を有する。また、ＤＶＩトランスミッタ１２ｃ，１３ｃは、ＴＭＤＳ（Ｔｒａｎｓｉｔｉｏｎ　Ｍｉｎｉｍｉｚｅｄ　Ｄｉｆｆｅｒｅｎｔｉａｌ　Ｓｉｇｎａｌｉｎｇ）送信機であり、ＤＶＩレシーバ１４ｂ，１５ｂは、ＴＭＤＳ受信機である。
【００３４】
上記ＤＶＩトランスミッタとＤＶＩレシーバとで構成されるインターフェースをＤＶＩインターフェースと称することとし、ＤＶＩインターフェースは、ＤＤＷＧ（Ｄｉｇｉｔａｌ　Ｄｉｓｐｌａｙ　Ｗｏｒｋｉｎｇ　Ｇｒｏｕｐ　）によって策定されたデジタル・ディスプレイ接続用のデジタル・インターフェースであり、米国シリコン・イメージ社が開発したＴＭＤＳ方式の伝送路を２つ（２リンク）有する必要がある。この伝送路は１リンク当たり、ＲＧＢ各８ビット計２４ビットのデータ（１画素）と６ビットの制御信号とを伝送する能力を有するものである。
【００３５】
なお、ＤＶＩ１．０規格によると、その伝送速度の上限はＴＭＤＳ（Ｔｒａｎｓｍｉｓｓｉｏｎ　Ｍｉｎｉｍｉｚｅｄ　Ｄｉｆｆｅｒｅｎｔｉａｌ　Ｓｉｇｎａｌｉｎｇ）１リンク当たりのドットロック１６５Ｍｐｉｘｅｌ　／Ｓと規格されているため、１リンクで表示できる解像度の上限は、ＵＸＧＡ（Ｕｌｔｒａ　Ｅｘｔｅｎｄｅｄ　Ｇｒａｐｈｉｃｓ　Ａｒｒｅｙ　）（１６００×１２００画素）までとされている。従って、高精細の液晶モニタ、例えば、ＱＸＧＡ（Ｑｕａｄ　Ｅｘｔｅｎｄｅｄ　Ｇｒａｐｈｉｃｓ　Ａｒｒｅｙ）（２０４８×１５３６画素）の以上の解像度を有するＬＣＤパネルに画素データを転送するには、当該ＬＣＤパネル表示領域を左右２つに分割して画像データをＴＭＤＳ２リンクで転送する必要がある。例えば、ＱＸＧＡ（２０４８×１５３６画素）の場合、ＴＭＤＳ１リンク当たりのドットクロック１３０Ｍｐｉｘｅｌ／Ｓに抑えて画像データを転送する。本実施形態は、これに従って、高精細医療用モノクロモニタ１４ａ，１５ａにはそれぞれ伝送ケーブル１６，１７がそれぞれ２本（２リンク）設けられている。
【００３６】
また、図１の汎用カラービデオボード１２ａは、先に説明した医療用モノクロビデオボードではなく、カラー画像データを記憶するビデオＲＡＭが搭載されている。ビデオＲＡＭは、画像データのカラー情報が消失することなく記憶され、そのまま維持される。従って、高精細医療用モノクロモニタ１４ａに表示したモノクロの診断画像に、カラーマーキングした場合であっても、カラー情報が汎用カラービデオボード１２ａのビデオＲＡＭに記憶されて、そのまま維持される。また、レポート用カラーモニタ１４ａには、従来からの医療用ビデオボード３２と汎用カラービデオボード１２ａとの両方に対応できるデジタル・インターフェースが搭載されている。
【００３７】
次に、図２を参照して、本実施形態について説明する。図２は、図１の高精細医療用モノクロモニタ１４ａと汎用カラービデオボード１２ａとの接続を示すブロック図である。図２は、図１に示したカラー情報に対応するビデオＲＡＭ１２ｂのブロック図の記載を省略した。なお、本実施形態のモノクロ液晶型画像表示装置の一例が高精細の医療用モノクロモニタであり、本実施形態の読影レポート作成装置は、この高精細医療用モノクロモニタと汎用カラービデオボードとを搭載してパソコン（処理装置）とが接続されたものである。
【００３８】
図２のモノクロ液晶型画像表示装置は、汎用カラービデオボード１２ａに対応するビデオボード２１と高精細医療用モノクロモニタ１４ａに対応するＬＣＤモニタ２４とが設けられ、それぞれが伝送路２０Ｌ，２０Ｒで接続され、２系統の信号処理系統が設けられている。パソコン（処理装置）側のビデオボード２１には、画像制御装置であるグラフィックコントローラ２２とＤＶＩトランスミッタ２３Ｌ，２３Ｒとが搭載されている。ビデオボード２１は、図１で示したように、バス１１に接続されてＣＰＵ（中央処理装置）に接続されている。また、ＬＣＤモニタ２４には、ＤＶＩレシーバ２５Ｌ，２５Ｒとディスプレイコントローラ２６Ｌ，２６ＲとＬＣＤパネル２７Ｌ，２７Ｒとが搭載されている。信号処理系統の一つはＤＶＩトランスミッタ２３ＬとＤＶＩレシーバ２５Ｌとが伝送路２０Ｌで接続され、他の信号処理系統はＤＶＩトランスミッタ２３ＲとＤＶＩレシーバ２５Ｒとが伝送路２０Ｒで接続されている。
【００３９】
続いて、本実施形態の信号処理ついて、図２を参照して説明する。グラフィックコントローラ２２は、図１に示したビデオＲＡＭ１２ｂに一時記憶されている画像データ（ＲＧＢ［７：０］（Ｒ（赤）Ｇ（緑）Ｂ（青））に係る各８ビット計２４ビットのパラレルデータを読み出して、それぞれＤＶＩトランスミッタ２３Ｌ，２３Ｒへ送るように制御する。図１でも説明したが、本実施形態の高精細画像、例えば、ＱＸＧＡ（２０４８×１５３６画素）では、このＬＣＤパネルへ画像データを転送する際、このＬＣＤパネルの表示領域を左右２つに分割（ＬＣＤパネル２７Ｌ、２７Ｒ）して、これらに対応する画像データが伝送される必要がある。グラフィックコントローラ２２は、ＤＶＩトランスミッタ２３Ｌに画像データを分割して左半分の表示画像に相当する画像データを、ＤＶＩトランスミッタ２３Ｒに対してはＬＣＤパネル２７Ｒに対応する右半分の表示画像に相当する画像データを、それぞれ送るように制御している。また、左右の画像データの表示タイミングを揃えるために使用するピクセルクロック（ＣＬＫ）は左右共通の信号が送られている。これらのパラレルの画像データを受けたＤＶＩトランスミッタ２３Ｌ，２３Ｒは、これらの画像データをＴＭＤＳ方式のシリアル信号にエンコードしてＬＣＤモニタ２４側へ伝送路２０Ｌ，２０Ｒを介してそれぞれ伝送される。
【００４０】
このようにエンコードされた画像データは、ＤＶＩ規格の伝送路２０Ｌ，２０Ｒを経由して、ＬＣＤモニタ２４内の２つのＤＶＩレシーバ２５Ｌ，２５Ｒへそれぞれ送られる。ＤＶＩレシーバ２５ＬはＤＶＩトランスミッタ２３Ｌから送られてきたＴＭＤＳ方式による信号をデコードして、ＲＧＢ［７：０］（Ｒ（赤）Ｇ（緑）Ｂ（青）に係る各８ビット計２４ビットのパラレルデータ）と、ピクセルクロック（ＣＬＫ）とをそれぞれ再生する。再生された画像データはディスプレイコントローラ２６Ｌへ送られる。
【００４１】
このカラーの画像データからモノクロ画像データに変換する方法は、周知の方法により変換される。その変換方法は、例えば第１の方法とし、Ｒ（赤）Ｇ（緑）Ｂ（青）Ｇの各画像データをそれぞれ所定の比率で加算合成してモノクロモニタの画像データにする方法がある。また、第２の方法としては、モノクロモニタにとって最適な専用輝度データが記憶されたＲＯＭ（図示を省略）が設けられて、入力されたＲ（赤）Ｇ（緑）Ｂ（青）Ｇの各画像データから得られる情報に基づき、その輝度に対応するアドレス信号を形成して、前記ＲＯＭからモノクロの輝度データを読み出す方法であってもよい。また、特開平４−３２０２９５号（モノクロームディスプレイにおけるグレイスケール表示制御装置）に開示されている表示制御方法であってもよい。
【００４２】
このような方法で変換されたモノクロの画像データは、ディスプレイコントローラ２６Ｌ内のデータバッファ（図示していない）に保持された後、ピクセルクロック（ＣＬＫ）のタイミングに従って順次読み出されて、左側ＬＣＤパネル２７Ｌに表示される。このように制御することによって、モニタ画面上に左側半分が表示される。
【００４３】
また、ＬＣＤモノタ２４の画面右側の右側ＬＣＤパネル２７Ｒには、同様な方法によって画像データが信号処理されて、ＤＶＩレシーバ２５Ｒとディスプレイコントローラ２６Ｒとを経由して伝送されて表示される。このようにディスプレイコントローラ２６Ｒにより制御することによって、モニタ画面上に右側半分の画像データが表示される。このように信号処理されることによって、ＬＣＤモニタ２４のそれぞれの表示領域には左右の画面が表示されて、１つの高精細画面が形成される。
【００４４】
また、本実施形態のＬＣＤモニタ２４は、上記のように汎用カラービデオボードに対応できるとともに、従来の医療用に専用化されたモノクロビデオボードにも対応できる。また、現在入手可能な医療用ビデオボード３２（図３を参照）には、既に説明したＤＶＩインターフェースも備えられており、本実施形態のＬＣＤモニタ２４はこれを利用することができる。
【００４５】
ＬＣＤモニタ２４が医療用ビデオボード３２を備える処理装置と接続される場合は、一つの信号処理系統を利用して信号処理が行われる。すなわち、使用するデータラインは、基本的にＲ（赤）Ｇ（緑）Ｂ（青）各データラインの内の一つを輝度（Ｙ）データラインとして利用する。これは、カラーの場合と同じである。しかし、図１で既に説明したように、高精細の液晶モニタ、例えば、ＱＸＧＡ（２０４８×１５３６画素）のＬＣＤパネルにモノクロ画像データを転送するには、伝送速度の上限を考慮して、ＬＣＤパネルの表示領域を左右２つに分割して、それぞれの表示領域に伝送しなければならない。すなわち、当該ＬＣＤパネル２７Ｌに伝送する画像データ（Ｙ＿Ｌ［７：０］）は、カラー画素の時に使用したＲ（赤）のデータラインに割り当て、右側ＬＣＤパネル２７Ｒに伝送する画像データ（Ｙ＿Ｒ［７：０］）は、カラー画像の時に使用したＢ（青）のデータラインにそれぞれ割り当てることで、ＤＶＩインターフェースの１リンクだけを使って伝送する（図２では、説明の便宜のため、データラインを実線と破線に分けて記載している）。なお、図２は、モノクロビデオボードの説明にも対応できるように、モノクロ画像データ（Ｙ（ＲＢ）［７：０］）は、破線で示したデータラインで処理される。従って、この信号処理の際は、他の信号処理系統であるＤＶＩトランスミッタ２３ＬとＤＶＩレシーバ２５Ｌは空き状態になっている。
【００４６】
このモノクロビデオボードからの画像データの信号処理は、画像データがディスプレコントローラ２６Ｒに送られるまでは、基本的に上記と同じである。画像データは、デジタル・インターフェースを介してディスプレコントローラ２６Ｒに送られると、左側ＬＣＤパネル２７Ｌに伝送する画像データ（Ｙ＿Ｌ［７：０］）が、ディスプレコントローラ２６Ｌ側へ振り分けられてバッファーに保持され、右側ＬＣＤパネル２７Ｒに伝送する画像データ（Ｙ＿Ｒ［７：０］）が、ディスプレコントローラ２６Ｒのバッファーに保持される。それぞれのバッファー内に一時的に保持された画像データは、ピクセルクロック（ＣＬＫ）に従って、順次読み出されて、左側ＬＣＤパネル２７Ｌと右側ＬＣＤパネル２７Ｒとに画像が表示されて一つの画面が形成される。
【００４７】
なお、以上説明した２種類の信号処理（汎用のカラービデオボードと医療用のモノクロビデオボードとに対応させるための信号処理）の選択は、図示していない切換えスイッチによって行う。また、片方のＤＶＩインターファースの画像データの有無などを検出して、自動的に切り換えるようにしてもよい。
【００４８】
【発明の効果】
本発明に係るモノクロ液晶型画像表示装置によれば、専用化された医療用ビデオボードに接続できるだけでなく、汎用のカラービデオボードを備えるパソコン（処理装置）にも接続することができるので、より汎用性の高いモノクロ液晶型画像表示装置を提供することができる利点がある。
【００４９】
また、モノクロ液晶型画像表示装置の画像表示部が高精細画面であるので、医療用のモノクロ液晶型画像表示装置として利用することができる利点があり、モノクロ液晶型画像表示装置の画像表示部を経由して書き込まれたカラー情報が消失されることなく維持されて、他のカラーモニタに表示することができる利点がある。
【００５０】
また、本発明に係るモノクロ液晶型画像表示装置を用いた読影レポート作成装置によれば、汎用のカラービデオボードを備える処理装置に接続されているため、読影用のモノクロモニタ上にカラーマーキングを記した場合であっても、そのカラー情報が消失することなく、カラーモニタにソフトコピーすることができる利点があり、これにより、モノクロの診断画像とマーキングとの識別を容易にすることができるとともに、専門医が読影して書き込んだマーキングを読影レポートに反映させることができ、後で患者の病状経過を参照する場合など、病変部を素早く把握することができる読影レポート作成装置を提供できる利点がある。
【図面の簡単な説明】
【図１】本発明に係るモノクロ液晶型画像表示装置及びこれを用いた読影レポート作成装置の一実施形態を説明するための接続概念図である。
【図２】本実施形態に係るモノクロ液晶型画像表示装置の高精細医療用モノクロモニタとビデオボードとの接続を示したブロック図である。
【図３】従来の読影レポート作成装置の接続概念図である。
【符号の説明】
１０　パソコン（処理装置）
１１　バス
１２ａ，１３ａ　汎用カラービデオボード
１２ｂ，１３ｂ　ビデオＲＡＭ
１２ｃ，１３ｃ　ＤＶＩトランスミッタ
１４ａ　高精細医療用モノクロモニタ
１４ｂ，１５ｂ　ＤＶＩレシーバ
１５ａ　レポート用カラーモニタ
２１　ビデオボード
２２　グラフィックコントローラ
２３Ｌ，２３Ｒ　ＤＶＩトランスミッタ
２４　ＬＣＤモニタ
２５Ｌ，２５Ｒ　ＤＶＩレシーバ
２６Ｌ，２６Ｒ　ディスプレイコントローラ
２７Ｌ　左側ＬＣＤパネル
２７Ｒ　右側ＬＣＤパネル
【図１】
2004049542.tif 000003
【図２】
2004049542.tif 000004
【図３】
2004049542.tif 000005